【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
モルタル無しの擁壁または同種構造体形成に使用されるモジュラー構成要素のセットであって、これは背後にある土壌マスまたは同種材料を確実に固定し；上記壁は上記要素を通し地下水の通過を許容して上記壁の安定性を保証し；上記壁は破損されまたは損傷した要素のみを取り換えることによって修理され；上記壁の高さまたは長さは所望される時に増加または減少され；上記壁の場所は上記要素（１）の分解により変更され；上記壁は壁および裏込め材料の間に如何なる種類の投錨または補強技術を使用することなく垂直構造体として形成され；上記モジュラー構成要素（１）は少なくとも１つの主本体要素（１）、１つの主矩形ブロック（６）および２つの矩形柱、即ち左柱（７）および右柱（８）を包含し；上記左柱（７）および上記右柱（８）の双方は主矩形ブロック（６）の水平縁に対して直交しかつ主矩形ブロック（９）の前面の垂直縁と合わされ；上記左柱（７）および上記右柱（８）の合計幅は主矩形ブロック（９）の前面および上記モジュラー構成要素の幅とほぼ等しくされ；左柱（７）または右柱（８）の高さが主矩形ブロック（９）の前面の高さより長くかつ主矩形ブロック（９）の前面の高さより高々２倍長くされたものにおいて；上記モジュラー構成要素は上記柱（７、８）が主矩形ブロック（６）の前面上に配置されかつ主矩形ブロック（６）の両垂直側の処で別々に露出されていることを特徴としている、モジュラー構成要素のセット。
【請求項２】
請求項１によるモジュラー構成要素のセットであって、そこでは主本体要素の好ましい詳細な形状特性および相対寸法が次の通りである：
・上記主矩形ブロック（６）の水平側縁の長さは上記主矩形ブロック（６）の垂直側縁より２倍長い；
・上記左柱（７）および上記右柱（８）の全幅は主矩形ブロック（９）の前面の幅とほぼ等しい、
・上記左柱（７）または上記右柱（８）の高さは上記主矩形ブロック（６）の水平側縁の長さとほぼ等しい、
・左柱左側縁（１７）は主矩形ブロック左側縁（１８）と同一面にある、
・右柱右側縁（１９）は主矩形ブロック右側縁（２０）と同一面にある、
・主本体要素（２６）の左柱上面は主本体要素（２７）の右柱上面と同一面にありかつ主矩形ブロック上面（３０）よりも高い、
・主本体要素（２８）の左柱底面は主本体要素（２９）の右柱底面と同一面にありかつ主矩形ブロック底面（３１）よりも低い、
モジュラー構成要素のセット。
【請求項３】
請求項１によるモジュラー構成要素のセットであって、それは更に少なくとも以下の土台要素（２）
・上記主本体要素（１）から上記主本体要素（１）の中央断面を水平面（Ａ−Ａ  断面）の処で取ることにより得られる土台要素（１０）の上部；
・好ましくは矩形コンパクト本体を包含している土台要素（１１）の底部；
を包含し、
上記土台要素（２）の上記上部（１０）および上記底部（１１）が互いに統合されている、モジュラー構成要素のセット。
【請求項４】
上記土台要素（１１）の上記底部が土台要素補強バー（１２）を包含し、このバーが上記土台要素（２）をベースグラウンド（１３）に対して確実に固定するために使用され、従って上記壁の安定性が保証される、請求項３によるモジュラー構成要素のセット。
【請求項５】
上記土台要素補強バー（１２）が好ましくは土台要素（１１）の上記底部の前面および後面の処に配置されており；上記土台要素補強バー（１２）が鉄ロッドまたは溶接ワイヤーのような工業材料で作られている、請求項４によるモジュラー構成要素のセット。
【請求項６】
更に少なくとも上側仕上げ要素（３）を包含しており、この要素が上記土台要素（２）と同じ形状特性および比例した寸法を備えている、請求項１または３によるモジュラー構成要素のセット。
【請求項７】
上記補強バー（１２）のような部品が上側仕上げ要素（３）に対して供給され、これが上記壁の上部を建物または何らかの他の構造体に対して上記土台要素（２）に対して適用されたのと同じ方法で接続または確実に固定するためである、請求項６によるモジュラー構成要素のセット。
【請求項８】
更に少なくともエッジ仕上げ要素（４）を包含し、この要素が主本体要素（１）の上記主矩形ブロック（６）の中央断面を垂直面（Ｂ−Ｂ  断面）で取ることにより得られる、請求項１によるモジュラー構成要素のセット。
【請求項９】
更に少なくとも１つのコーナー仕上げ要素（５）を包含し、この要素が上側仕上げ要素（３）から、上側仕上げ要素（３）の中央断面を垂直面（Ｃ−Ｃ  断面）の処で取ることにより得られ；かつ上側仕上げ要素（３）の垂直部分が上記擁壁の上左コーナーおよび上右コーナーの処でそれぞれ使用されるように左および右部分を個々に製造する、請求項１および６の何れかによるモジュラー構成要素のセット。
【請求項１０】
更に少なくとも柱構成要素（３２）を包含しており、この要素が上記主本体要素（１）と同じ形状特性および比例寸法を備え；唯一の相違は上記柱構成要素（３２）が少なくとも１つのピン要素（３３）および少なくとも１つの対応するピン孔（３４）を含むように構成され；かつ上記柱構成要素（３２）がモルタル無しの柱構造体を建造するために使用される、請求項１によるモジュラー構成要素のセット。
【請求項１１】
上記ピン要素（３３）が柱構成要素（３２）と統合されている、請求項１０によるモジュラー構成要素のセット。
【請求項１２】
上記ピン要素（３３）は分離部品として製造されかつ建造中に柱構成要素（３２）に対して組み立てられる、請求項１０によるモジュラー構成要素のセット。
【請求項１３】
更に２つの上記エッジ仕上げ要素（４）から形状的に得られる少なくとも１つのコーナー構成要素（４０）を包含しており、その方法は：
・第１仕上げ要素（４）が水平面の処で１８０度回され；
・第１仕上げ要素（４５）の後面が第２エッジ仕上げ要素（４４）の右側側面に合わされ；
・第２エッジ仕上げ要素（４５）の後面が第１エッジ仕上げ要素（４６）の左側と同一面の処を占め；
・両エッジ仕上げ要素（５８）の柱上面および両エッジ仕上げ要素（５９）の底面がそれぞれ同一面の処を占めている；
請求項１および８の何れかによるモジュラー構成要素のセット。
【請求項１４】
更に少なくとも１つの凹入湾曲主本体要素（４７）を包含しており、この要素が上記主本体要素（１）を主矩形ブロック（９）の前面と一致する１つの面上で捩りまたは曲げることにより得られ、かつ次に主本体要素（１）の後面がグラウンド面と直交する垂直軸周りの凹入形を取る、請求項１によるモジュラー構成要素のセット。
【請求項１５】
上記凹入湾曲主本体要素（４７）が：
・凹入湾曲壁構造体の内側円形円弧（５２）と一致する凹入湾曲主本体要素（４８）の後面；
・外側円弧（５３）と一致する凹入湾曲主本体要素（５０）の左柱前面および凹入湾曲主本体要素（５１）の右柱前面；
・中間円弧（５５）と一致する凹入湾曲主本体要素（４９）の前面；
・共通中心を備えている内側円弧（５２）、外側円弧（５３）および中間円弧（５５）、
を備えている、請求項１４によるモジュラー構成要素のセット。
【請求項１６】
更に少なくとも１つの凸状湾曲本体要素（５８）を包含しており、この要素が主矩形ブロック（９）の前面と一致する１つの面上で主本体要素（１）を捩りまたは曲げることにより得られ、かつ結果として、主本体要素（１）の後面がグラウンド面と直交する垂直軸周りに凸形を占める、請求項１によるモジュラー構成要素のセット。
【請求項１７】
更に１つの垂直凸状湾曲主本体要素（６０）を包含しており、この要素が主本体要素（１）を主矩形ブロック（９）の前面と一致する１つの面上で捩りまたは曲げることにより得られ、かつ結果として、主本体要素（１）の前面がグラウンド面と平行する水平軸周りに凸形を占める、請求項１によるモジュラー構成要素のセット。
【請求項１８】
更に少なくとも１つの垂直凸状湾曲主本体要素（６１）を包含しており、この要素は主本体要素（１）を主矩形ブロック（９）の前面と一致する１つの面上で捩りまたは曲げることにより得られ、かつ結果として、主本体要素（１）の柱前面がグラウンド面と平行する水平軸周りに凹入形を占める、請求項１によるモジュラー構成要素のセット。
【請求項１９】
上記モジュラー構成要素（４７、５６、６０、６１）のそれぞれが円形または湾曲壁構造体を得るために上記壁内で使用されている、請求項１４、１６、１７、１８の何れかによるモジュラー構成要素のセット。
【請求項２０】
更に少なくとも１つの追加要素を包含しており、かつ上記要素は両側主本体要素（１０１）であり、この要素は上記主本体要素（１）の主矩形ブロック（６）と同様な形状特性を備えている第２矩形ブロック即ち前主矩形ブロック（１０６）を主本体要素（１）の左柱（７）および右柱（８）の前面上に配置することにより得られ；その結果として前主矩形ブロック（１０６）が主本体要素（１）と統合構造を形成する、請求項１および２の何れかによるモジュラー構成要素のセット。
【請求項２１】
更に少なくとも両側土台要素（１０２）を包含しており：
・上記両側主本体要素（１０１）の中央断面を水平面（Ｄ−Ｄ  断面）の処で取ることにより上記両側主本体要素（１０１）から得られる両側土台要素（１１０）の上部；
・好ましくは矩形コンパクト本体を包含している両側土台要素（１１１）の底部；を包含し
かつ上記両側土台要素（１０２）の上記上部（１１０）および上記底部（１１１）が互いに統合されている、請求項２０によるモジュラー構成要素のセット。
【請求項２２】
両側土台要素（１１１）の上記底部が両側土台要素補強バー（１１２）を包含しており、これらのバーが上記両側土台要素（１０２）をベースグラウンド（１３）に対して確実に固定するのに使用され従って上記壁の安定性が保証される、請求項２１によるモジュラー構成要素のセット。
【請求項２３】
上記両側土台要素補強バー（１１２）が突起の形に設計されこれらは好ましくは両側土台要素（１１１）の前面または後面の処に配置され；上記両側土台要素補強バー（１１２）が鉄ロッドまたは溶接ワイヤーのような工業材料で作られている、請求項２２によるモジュラー構成要素のセット。
【請求項２４】
更に少なくとも１つの両側上側仕上げ要素（１０３）を包含しており、この要素は上記両側土台要素（１０２）と同じ形状特性および比例寸法を備えている、請求項２０および２１の何れかによるモジュラー構成要素のセット。
【請求項２５】
上記補強バー（１１２）が上記擁壁の上部を建物または何らかの他の構造体に対して両側土台要素（１０２）に適用したのと同様な方法で接続しまたは確実に固定するために適用され得る、請求項２４によるモジュラー構成要素のセット。
【請求項２６】
更に少なくとも１つの両側エッジ仕上げ要素（１０４）を包含し、この要素は上記両側主本体要素（１０１）から上記両側主本体要素（１０１）の上記前主矩形ブロック（１０６）の中央断面を垂直面（Ｅ−Ｅ  断面）の処で取ることにより得られる、請求項２０によるモジュラー構成要素のセット。
【請求項２７】
更に少なくとも１つの両側コーナー仕上げ要素（１０５）を包含しており、その要素が上記両側上側仕上げ要素（１０３）の中央断面を垂直面（Ｆ−Ｆ  断面）の処で取ることにより得られ、かつこの両側上側仕上げ要素（１０３）の垂直断面が左および右部分を個々に製造する、請求項２０および２４の何れかによるモジュラー構成要素のセット。
【請求項２８】
更に少なくとも１つの両側コーナー繰返し第１要素（１４０ａ）を包含しており、この要素は両側エッジ仕上げ要素（１０４）の形状から両側エッジ仕上げ要素（１０４）の内側キャビテイーを満たすことにより得られ；この内側キャビテイー（１２４）が満たされる時コンパクト本体が得られ；このコンパクト本体上で、両側エッジ仕上げ要素（１２５）の柱底部および両側エッジ仕上げ要素（１２６）の柱上部がこのコンパクト本体の中央側へスライドされる、請求項２０および２６の何れかによるモジュラー構成要素のセット。
【請求項２９】
更に少なくとも１つの両側コーナー繰返し第２要素（１４０ｂ）を包含しており、この要素が両側コーナー繰返し第１要素（１４０ａ）の柱頭部の場所に孔を設けることにより得られる物質の側面を合わすことにより得られ、この第１要素は柱と同じ断面を両側コーナー繰返し第１要素（１４０ａ）の本体の全長にわたり備えており；上記両側エッジ仕上げ要素（１０４）に属する両側エッジ仕上げ要素側面（１２７）付きであり；これらの２つの物質を同じ面上で統合しまたは合わす、請求項２０、２６および２８の何れかによるモジュラー構成要素のセット。
【請求項３０】
更に少なくとも１つの両側コーナー土台要素（２０２）を包含しており：
・両側コーナー土台要素（２１０）の上部が両側コーナー繰返し第１要素（１４０ａ）から水平面（Ｇ−Ｇ  断面）の処で上記両側コーナー繰返し第１要素（１４０ａ）の中央断面を取ることにより得られ；
・両側コーナー土台要素（２１１）の底部が好ましくは矩形または正方形コンパクト本体を包含している；を包含しており、
かつ上記両側コーナー土台要素（２０２）の上記上部（２１０）および上記底部（２１１）が互いに統合されている、請求項２０および２８の何れかによるモジュラー構成要素のセット。
【請求項３１】
両側コーナー土台要素（２１１）の上記底部が両側コーナー土台要素補強バー（２１２）を含み、これらのバーが上記両側コーナー土台要素（２０２）をベースグラウンド（１３）に対して確実に固定するために使用され、従って上記壁の安定性が保証されるようにした、請求項３０によるモジュラー構成要素のセット。
【請求項３２】
上記両側コーナー土台要素補強バー（２１２）が好ましくは両側コーナー土台要素（２１１）の上記底部の前後面の処に配置され；上記両側コーナー土台要素補強バー（２１２）が鉄ロッドまたは溶接ワイヤーのような工業材料で作られている、請求項３１によるモジュラー構成要素のセット。
【請求項３３】
更に少なくとも１つの両側上側コーナー仕上げ要素（２４３）を包含しており、この要素は両側コーナー繰返し第２要素（１４０ｂ）に属する両側コーナー繰返し第２要素（１４１）の柱頭部の１つを除去することにより得られる物質と同じでありかつ両側コーナー繰返し第２要素胴体キャビテイー（１４２）は側部でカバーされており、そこでは柱頭部は両側コーナー繰返し第２要素胴体キャビテイー（１４２）が少なくとも両側モジュラー構成要素の柱頭部の高さと等しくされている、請求項２０および２９の何れかによるモジュラー構成要素のセット。
【請求項３４】
更に少なくとも１つの湾曲両側主本体要素（１４７）を包含しており、この要素は両側主本体要素（１０１）を前主矩形ブロック（１０６）と一致するかまたはそれに対して平行な面上で捩りまたは曲げることにより得られ；かつその結果として、両側主本体要素（１０１）がグラウンド面と直交する垂直軸周りに凹入形を占める、請求項２０によるモジュラー構成要素のセット。
【請求項３５】
更に少なくとも１つの湾曲両側モジュラー構成要素を包含しており、この要素が湾曲両側主本体要素（１４７）と互換性を有し、この湾曲両側主本体要素が両側モジュラー構成要素即ち両側土台要素（１０２）、両側上側仕上げ要素（１０３）、両側上側エッジ仕上げ要素（１０４）、両側コーナー仕上げ要素（１０５）、両側コーナー繰返し第１要素（１４０ａ）、両側コーナー繰返し第２要素（１４０ｂ）、両側コーナー土台要素（２０２）および両側上コーナー仕上げ要素（２４３）をそれらの要素と一致しまたはそれらと平行な面上で捩りまたは曲げることにより得られる、請求項２０−３４の何れかによるモジュラー構成要素のセット。
【請求項３６】
湾曲両側主本体要素（１４７）と互換性を備えた湾曲両側モジュラー構成要素が円形または湾曲壁構造体を得るために上記壁内で使用される、請求項３４−３５の何れかによるモジュラー構成要素のセット。
【請求項３７】
更に少なくとも１つの両側コーナー繰返し第３要素（３１０）を包含しており、この要素は両側コーナー繰返し第２要素（１４０ｂ）の最も外側のキャビテイー（１４２）を満たすことにより得られかつこの満たされた領域上に、柱頭部（３１１）が底部側および上側の処で配置されており、この柱頭部は両側コーナー繰返し第２要素（１４１）の柱頭部と同じ断面を備えている、請求項２０および２９の何れかによるモジュラー構成要素のセット。
【請求項３８】
更に少なくとも１つの両側コーナー土台第２要素（３２０）を包含しており：
・両側コーナー繰返し第３要素（３１０）から上記両側コーナー繰返し第３要素（３１０）の中央断面を水平面（Ｈ−Ｈ  断面）の処で取ることにより得られる両側コーナー土台第２要素（３２２）の上部；
・好ましくは矩形コンパクト本体を包含している両側コーナー土台第２要素（３２１）の底部；を包含し、
かつ上記両側コーナー土台第２要素（３２０）の上記上部（３２２）および上記底部（３２１）が互いに統合されている、請求項２０および３７の何れかによるモジュラー構成要素のセット。
【請求項３９】
両側コーナー土台第２要素（３２１）の上記底部が上記両側コーナー土台第２要素（３２０）をベースグラウンド（１３）に対して確実に固定するために使用される両側コーナー土台第２要素補強バー（３２５）を含み上記擁壁の安定性を確実に保証するために使用されている、請求項３８によるモジュラー構成要素のセット。
【請求項４０】
上記両側コーナー土台第２要素補強バー（３２５）が突起の形に設計されており、これらは好ましくは両側コーナー土台第２要素（３２１）の上記底部の前後面の処に配置されており；上記両側コーナー土台第２要素補強バー（３２５）が鉄ロッドまたは溶接ワイヤーのような工業材料で作られている、請求項３９によるモジュラー構成要素のセット。
【請求項４１】
更に少なくとも１つの補強バー（３３０）無しの両側コーナー土台第２要素を包含しており、これらのバーが両側コーナー土台第２要素（３２２）と同じ形状特性および比例寸法を備えている、請求項２０および３８の何れかによるモジュラー構成要素のセット。
【請求項４２】
更に少なくとも１つの両側窓開口底部要素（３４０）を包含しており、この要素が両側上側仕上げ要素（１０３）と同じ形状特性および比例寸法を備えている、請求項２０および２４の何れかによるモジュラー構成要素のセット。
【請求項４３】
上記両側窓開口底部要素（３４０）が好ましくは両側上側仕上げ要素（３４１）の内側キャビテイーが要素の本体を通して伸長されるように内側開口を備えている、請求項４２によるモジュラー構成要素のセット。
【請求項４４】
更に少なくとも１つの両側傾斜要素（３５０）を包含しており、この要素は両側主本体要素（１０１）の好ましくは前主矩形ブロック（１０６）の底部右コーナーから主矩形ブロック（１０６）の上側中央点へ向かう断面を前主矩形ブロック（１０６）（Ｉ−Ｉ  断面）と直交する傾斜水平面上で取ることにより得られる、請求項２０によるモジュラー構成要素のセット。
【請求項４５】
擁壁または構造体で使用される、請求項１−４４の何れかによるモジュラー構成要素のセット。
【請求項４６】
上記柱構成要素（３２）の接触または対向面がピン要素（３３）および対応するピン孔（３４）を使用する代わりに各種の形状の処に突起および凹部を含むように前もって作られ得る、請求項１０によるモジュラー構成要素のセット。
【請求項４７】
モジュラー構成要素の接触面または対向面上に設計されかつ適用されている各種形状または如何なる種類の機構の突起および凹部であって；擁壁または構造体を形成するために互いに重ね合わされる時にモジュラー構成要素相互の正確な固定または結合が提供される、請求項１−４４の何れかによるモジュラー構成要素のセット。
【請求項４８】
上記モジュラー構成要素がコンクリートまたは補強コンクリートは勿論各種材料で作られている、請求項１−４４の何れかによるモジュラー構成要素のセット。
【請求項４９】
上記モジュラー構成要素がモジュラー構成要素を建造中に互いに積み重ねる工程を容易にするために鋭利なエッジの代わりにベベルエッジ付きに製造されている、請求項１−４４の何れかによるモジュラー構成要素のセット。
【請求項５０】
上記モジュラー構成要素が代わりに場所または土壌条件および要素が作られている材料により中空本体または孔包含構造体の形に前もって形成されている、請求項１−４４の何れかによるモジュラー構成要素のセット。
【請求項５１】
更に少なくとも１つの代わりの両側主本体要素（３０１）を包含しており、その要素は両側主本体要素（１０１）に属する前主矩形ブロック（１０６）の代わりにダイヤモンド形ブロックを配置することにより得られる、請求項２０によるモジュラー構成要素のセット。
【請求項５２】
上記主矩形ブロック（６）の上面および底面が直線状または湾曲状に突起および凹部を包含しており；これらの突起および凹部はそれらが互いの上に積み重ねられる時に正確に合致し同様にそれらが地下水の排出目的のための開口を形成し得る、請求項１によるモジュラー構成要素のセット。
【請求項５３】
上記前主矩形ブロック（１０６）の上側および下側面が直線状または湾曲状に突起および凹部を包含しており；これらの突起および凹部はそれらが互いの上に積み重ねられる時に正確に合致し同様にそれらが地下水の排出目的のための開口を形成し得る、請求項２０によるモジュラー構成要素のセット。
【請求項５４】
上記モジュラー構成要素は擁壁または同種構造体の建造に使用されるだけでなく、また小型に製造されかつ建造玩具またはモデル建造要素としても使用され得る、請求項１−４４の何れかによるモジュラー構成要素のセット。
【手続補正２】
【補正対象書類名】明細書
【補正対象項目名】０００８
【補正方法】変更
【補正の内容】
【０００８】
モルタル無しの擁壁の建造に使用され得るモジュラーブロックの別のタイプがＷＯ００７０１５４内に記述されている。発明者は矩形ブロックの上面に三角形、矩形または円形の突起を開示しており、一方、底面には三角形、矩形または円形の補足凹部が設けられている。このモジュラーブロックは並べてかつ互いの上に重ねられて擁壁を形成している。ＷＯ００７０１５４内に開示されている壁構造体は重力壁タイプでありかつ壁の強度は突起および凹部の所望抵抗力の製造容量に依存している。突起および凹部の厚さは壁の強度を常には確保しない。また突起および凹部のための設計構造の複雑さがモジュラーブロックの製造コストを高め得る。
壁または海壁形成のために使用されるモジュラーブロックの異なるタイプはＵＳ５１２２０１５内に開示されている。上記従来技術文献内においては、多数の雌ブロックおよび多数の雄ブロックが互いに組み合わされて平行六面体とされている。各雌ブロックは上面および底面の中間部に形成された凹部を備えており、従って各凹部の各側部上に１対のフランジが形成されている。各雄ブロックは各コーナー部上に形成された突起を備えている。２つの雄ブロックの２つの隣接突起は雌ブロックの凹部内に受領されることができ、従って雄ブロックおよび雌ブロックは安定に組み合わされ得る。しかしながら上記ブロックにより得られた建造物は横負荷に抵抗するために広い水平領域を要し、それはブロックの突起および凹部の結合がスリムタイプ垂直壁内では得られないからである。また、家状建造物の湾曲壁を建造することは不可能である。限られたスペースを有する領域内では、上記ブロック付きの擁壁構造の建造は極めて困難である。